(57)【要約】【課題】電極刃に高周波電流を通電する前に生体組織を一対の鋏片で確実に摘んで一対の鋏片の間に保持し、その後の高周波電流通電による切開や切断の処置を円滑に短時間で行うことができる内視鏡用鋏型高周波処置具を提供すること。【解決手段】内視鏡の処置具案内管に挿脱されるシース１，２の先端に、シース１，２の基端側からの操作により後端側を回動支点にして前方に向かって開閉する一対の鋏片６Ａ，６Ｂが配置された内視鏡用鋏型高周波処置具において、一対の鋏片６Ａ，６Ｂの各々の対向面に前後方向に細長い電極刃１０Ａ，１０Ｂを露出形成すると共に、一対の鋏片６Ａ，６Ｂの双方の最先端部分に、表面が電極刃１０Ａ，１０Ｂに対して電気絶縁された把持部１２Ａ，１２Ｂを形成した。【選択図】図１
2008126031.tif 000002
【特許請求の範囲】
【請求項１】
内視鏡の処置具案内管に挿脱されるシースの先端に、前記シースの基端側からの操作により後端側を回動支点にして前方に向かって開閉する一対の鋏片が配置された内視鏡用鋏型高周波処置具において、
前記一対の鋏片の各々の対向面に前後方向に細長い電極刃を露出形成すると共に、前記一対の鋏片の双方の最先端部分に、表面が前記電極刃に対して電気絶縁された把持部を形成したことを特徴とする内視鏡用鋏型高周波処置具。
【請求項２】
請求項１に記載された内視鏡用鋏型高周波処置具において、前記電極刃が前後方向に細長く一定幅で真っ直ぐに形成されている内視鏡用鋏型高周波処置具。
【請求項３】
請求項１に記載された内視鏡用鋏型高周波処置具において、前記電極刃が、前記鋏片の開閉方向に対して垂直な方向に湾曲した形状に形成されている内視鏡用鋏型高周波処置具。
【請求項４】
請求項３に記載された内視鏡用鋏型高周波処置具において、前記電極刃が、前記鋏片の湾曲の内側寄りの位置に偏位して前記鋏片の対向面に配置されている内視鏡用鋏型高周波処置具。
【請求項５】
請求項１から４の何れかに記載された内視鏡用鋏型高周波処置具において、前記一対の鋏片の各々に形成された電極刃が、前記一対の鋏片を閉じた時に向かい合う位置関係に配置されている内視鏡用鋏型高周波処置具。
【請求項６】
請求項１から４の何れかに記載された内視鏡用鋏型高周波処置具において、前記一対の鋏片の各々に形成された電極刃が、前記一対の鋏片を閉じた時に前後に位置をずらせて噛み合う位置関係に配置されている内視鏡用鋏型高周波処置具。
【請求項７】
請求項１から４の何れかに記載された内視鏡用鋏型高周波処置具において、前記一対の鋏片の各々に形成された電極刃が、前記一対の鋏片を閉じた時にすれ違って横に並ぶ位置関係に配置されている内視鏡用鋏型高周波処置具。
【請求項８】
請求項１から７の何れかに記載された内視鏡用鋏型高周波処置具において、前記一対の鋏片の双方の最先端部分に形成された把持部が各々、前記電極刃より閉じ方向に突出する突片状に形成されている内視鏡用鋏型高周波処置具。
【請求項９】
請求項８に記載された内視鏡用鋏型高周波処置具において、前記一対の鋏片の双方の最先端部分に形成された把持部が各々、前記一対の鋏片を閉じた時にすれ違って横に並ぶ位置関係に配置されている内視鏡用鋏型高周波処置具。
【請求項１０】
請求項８に記載された内視鏡用鋏型高周波処置具において、前記一対の鋏片の双方の最先端部分に形成された把持部のうち一方の断面形状が凸状に形成されると共に、他方の断面形状が凹状に形成されて、前記一対の鋏片を閉じた時に前記凸状の断面形状の把持部が前記凹状の断面形状の把持部に嵌まり込んだ状態になる内視鏡用鋏型高周波処置具。
【請求項１１】
請求項８に記載された内視鏡用鋏型高周波処置具において、前記一対の鋏片の双方の最先端部分に形成された把持部が各々、前記電極刃との間に隙間をあけて前記電極刃と略同じ高さに形成され、前記一対の鋏片が閉じた時に向かい合う位置関係に配置されている内視鏡用鋏型高周波処置具。
【請求項１２】
請求項１から１１の何れかに記載された内視鏡用鋏型高周波処置具において、前記把持部の前面壁が突端側を次第に後方に退避させた斜面状に形成されている内視鏡用鋏型高周波処置具。
【請求項１３】
請求項１から１１の何れかに記載された内視鏡用鋏型高周波処置具において、前記把持部の後面壁が突端側を次第に後方に退避させた斜面状に形成されている内視鏡用鋏型高周波処置具。
【請求項１４】
請求項１から１３の何れかに記載された内視鏡用鋏型高周波処置具において、前記一対の鋏片の各々の対向面に露出形成された電極刃以外の部分においては、前記各鋏片の外表面全体が電気絶縁材で覆われている内視鏡用鋏型高周波処置具。
【請求項１５】
請求項１４に記載された内視鏡用鋏型高周波処置具において、前記電極刃が前記鋏片の対向面から閉じ方向に突出して形成されている内視鏡用鋏型高周波処置具。
【請求項１６】
請求項１４又は１５に記載された内視鏡用鋏型高周波処置具において、前記一対の鋏片の双方の最先端部分に形成された把持部のうちの少なくとも一方の把持部の後面壁に、前記電極刃と電気的に導通する補助電極が露出形成されている内視鏡用鋏型高周波処置具。
【請求項１７】
請求項１６に記載された内視鏡用鋏型高周波処置具において、前記補助電極が前記把持部の後面壁から後方に突出して形成されている内視鏡用鋏型高周波処置具。
【請求項１８】
請求項１６又は１７に記載された内視鏡用鋏型高周波処置具において、前記電極刃と前記補助電極とが一つながりに連続して露出形成されている内視鏡用鋏型高周波処置具。
【請求項１９】
請求項９に記載された内視鏡用鋏型高周波処置具において、少なくとも一方の前記把持部の後面壁の他方の把持部とすれ違う側寄りの領域に、前記電極刃と電気的に導通する補助電極が露出形成されている内視鏡用鋏型高周波処置具。
【発明の詳細な説明】
【技術分野】
【０００１】  本発明は、内視鏡の処置具案内管に通して体内に導入され、一対の鋏片に高周波電流を通電して生体組織の切開や切断等を行う内視鏡用鋏型高周波処置具に関する。
【背景技術】
【０００２】  内視鏡用鋏型高周波処置具は一般に、内視鏡の処置具案内管に挿脱されるシースの先端に、シースの基端側からの操作により後端側を回動支点にして前方に向かって開閉する一対の鋏片が配置され、一対の鋏片の各々の対向面又は鋏片全体が電極刃になっている（例えば、特許文献１）。
【特許文献１】  特開２００３−２９９６６７号公報
【発明の開示】
【発明が解決しようとする課題】
【０００３】  内視鏡用鋏型高周波処置具で生体組織を切開したり切断したりする際には、まず一対の鋏片を開いてその間に処置対象の生体組織を位置させる。そして、鋏片に閉じる力を作用させて生体組織を鋏片で（即ち、電極刃で）摘んだ状態にしてから、電極刃に高周波電流を通電しながら鋏片を閉じることにより生体組織を焼灼して切開等を行うことができる。しかし、胃腸等の粘膜面等は滑り易いので、生体組織を摘むように鋏片を閉じる操作をした時、鋏片が生体組織の表面で滑ってうまく摘むことができず、操作のやり直しを繰り返して、処置に多大な時間を要する場合がある。特に、硬い組織や大きな組織の一部を摘もうとすると、そのようになる場合が多い。【０００４】  本発明はそのような問題を解決するためになされたものであり、電極刃に高周波電流を通電する前に生体組織を一対の鋏片で確実に摘んで一対の鋏片の間に保持し、その後の高周波電流通電による切開や切断の処置を円滑に短時間で行うことができる内視鏡用鋏型高周波処置具を提供することを目的とする。
【課題を解決するための手段】
【０００５】  内視鏡の処置具案内管に挿脱されるシースの先端に、シースの基端側からの操作により後端側を回動支点にして前方に向かって開閉する一対の鋏片が配置された内視鏡用鋏型高周波処置具において、一対の鋏片の各々の対向面に前後方向に細長い電極刃を露出形成すると共に、一対の鋏片の双方の最先端部分に、表面が電極刃に対して電気絶縁された把持部を形成した。【０００６】  なお、電極刃が、前後方向に細長く一定幅で真っ直ぐに形成されていてもよく、鋏片の開閉方向に対して垂直な方向に湾曲した形状に形成され、さらに鋏片の湾曲の内側寄りの位置に偏位して鋏片の対向面に配置されていてもよい。
また、一対の鋏片の各々に形成された電極刃が、一対の鋏片を閉じた時に向かい合う位置関係に配置されていてもよく、一対の鋏片を閉じた時に前後に位置をずらせて噛み合う位置関係に配置され、又は、一対の鋏片を閉じた時にすれ違って横に並ぶ位置関係に配置されていてもよい。【０００７】  また、一対の鋏片の双方の最先端部分に形成された把持部が各々、電極刃より閉じ方向に突出する突片状に形成されていてもよく、その把持部が各々、一対の鋏片を閉じた時にすれ違って横に並ぶ位置関係に配置されていてもよく、一対の鋏片の双方の最先端部分に形成された把持部のうち一方の断面形状が凸状に形成されると共に、他方の断面形状が凹状に形成されて、一対の鋏片を閉じた時に凸状の断面形状の把持部が凹状の断面形状の把持部に嵌まり込んだ状態になってもよい。【０００８】  また、一対の鋏片の双方の最先端部分に形成された把持部が各々、電極刃との間に隙間をあけて電極刃と略同じ高さに形成され、一対の鋏片が閉じた時に向かい合う位置関係に配置されていてもよい。そして、把持部の前面壁が突端側を次第に後方に退避させた斜面状に形成されていてもよく、把持部の後面壁が突端側を次第に後方に退避させた斜面状に形成されていてもよい。【０００９】  また、一対の鋏片の各々の対向面に露出形成された電極刃以外の部分においては、各鋏片の外表面全体が電気絶縁材で覆われ、電極刃が鋏片の対向面から閉じ方向に突出して形成されていてもよい。そして、一対の鋏片の双方の最先端部分に形成された把持部のうちの少なくとも一方の把持部の後面壁に、電極刃と電気的に導通する補助電極が露出形成されて、補助電極が把持部の後面壁から後方に突出して形成され、又は、電極刃と補助電極とが一つながりに連続して露出形成されていてもよい。【００１０】  また、少なくとも一方の把持部の後面壁の他方の把持部とすれ違う側寄りの領域に、電極刃と電気的に導通する補助電極が露出形成されていてもよい。
【発明の効果】
【００１１】  本発明の内視鏡用鋏型高周波処置具によれば、一対の鋏片の各々の対向面に前後方向に細長い電極刃を露出形成すると共に、一対の鋏片の双方の最先端部分に、表面が電極刃に対して電気絶縁された把持部を形成したことにより、電極刃に高周波電流を通電する前に生体組織を一対の鋏片で確実に摘んで一対の鋏片の間に保持し、その後の高周波電流通電による切開や切断の処置を円滑に短時間で行うことができる。
【発明を実施するための最良の形態】
【００１２】  以下、図面を参照して本発明の実施の形態を具体的に説明する。
図１と図２は、本発明の第１の実施の形態の内視鏡用鋏型高周波処置具の先端部分の側面部分断面図と平面部分断面図、図３はその高周波鋏部分の斜視図である。
１は、内視鏡の処置具案内管に挿脱自在な可撓性シースであり、ステンレス線等を密着巻きしたコイルパイプにより形成されている。可撓性シース１の外周面には、電気絶縁性の可撓性チューブからなるシース外皮２が全長に被覆され、可撓性シース１の先端に固定的に取り付けられた先端口金３の外周にシース外皮２の先端が固定されている。４は、可撓性シース１内に緩く挿通された導電性の操作ワイヤーであり、可撓性シース１の基端に連結された操作部（図示せず）からの操作により、軸方向に進退させることができ、また軸周りに回転させることができる。【００１３】  ５は、先端口金３に対して軸方向に移動することはできないが、軸周りに回転自在に先端口金３に連結された先端支持枠であり、剛性の大きな電気絶縁性のプラスチック材等で形成されている。先端支持枠５に形成されたスリット７の先端部分には、導電性金属からなる一対の鋏片６Ａ，６Ｂが、剛性の大きな電気絶縁性のプラスチック材等からなる支軸８を中心に後端側を支点にして回動自在に前方に向かって開閉自在に支持されている。９は、一対の鋏片６Ａ，６Ｂを開閉駆動するための公知のリンク機構であり、操作ワイヤー４の先端が導電金属製のリンク機構９に連結されている。ただし、一対の鋏片６Ａ，６Ｂの開閉駆動をリンク機構９以外の機構で行ってもよい。【００１４】  そのような構成により、操作部において操作ワイヤー４を進退操作すれば一対の鋏片６Ａ，６Ｂが各々支軸８を中心に回動して開閉し、操作ワイヤー４を軸周りに回転操作すれば、先端支持枠５や鋏片６Ａ，６Ｂ等が一体となって先端口金３の軸周りに回転する。そして、操作部側において操作ワイヤー４を図示されていない高周波電源に接続することにより、操作ワイヤー４を経由して各鋏片６Ａ，６Ｂに高周波電流を通電することができる。なお、図１には一対の鋏片６Ａ，６Ｂが開いた状態が実線で図示されているが、閉じた状態も二点鎖線で図示されている。【００１５】  各鋏片６Ａ，６Ｂの対向面（即ち、一対の鋏片６Ａ，６Ｂが閉じられた状態の時に互いに向かい合う面）には、細長い一定幅の電極刃１０Ａ，１０Ｂが前後方向に真っ直ぐに露出形成されている。一対の電極刃１０Ａ，１０Ｂは、一対の鋏片６Ａ，６Ｂを閉じた時に互いに向かい合う位置関係に、鋏片６Ａ，６Ｂの対向面から閉じ方向に突出して露出形成されている。即ち、図１に示されるＡ−Ａで切断した状態の断面を図示する図４に示されるように、各鋏片６Ａ，６Ｂの対向部分は対向面側に突出する凸型の断面形状に形成されていて、その突端面が電極刃１０Ａ，１０Ｂになっている。【００１６】  そのような各鋏片６Ａ，６Ｂは、突端対向面である電極刃１０Ａ，１０Ｂのみに金属面が露出して、その他の面には各々全面に一つながりに、例えばフッ素樹脂等のような化学的及び熱的に安定性が大きいいわゆる不活性の合成樹脂材からなる電気絶縁性被膜１１が被覆されている。電気絶縁性被膜１１部分は全図について砂目状に表示してある。このようにして、高周波電極である電極刃１０Ａ，１０Ｂのみが金属露出面になっていることにより、高周波処置の際に必要な生体組織だけを焼灼して、安全に切開又は切断等を行うことができる。【００１７】  図１〜図３に��されるように、一対の鋏片６Ａ，６Ｂの双方の最先端部分には、表面が電極刃１０Ａ，１０Ｂに対して電気絶縁された把持部１２Ａ，１２Ｂが形成されている。この実施の形態の把持部１２Ａ，１２Ｂは、電極刃１０Ａ，１０Ｂとの間に隙間をあけて電極刃１０Ａ，１０Ｂと略同じ高さに形成され、一対の鋏片６Ａ，６Ｂが閉じた状態の時に互いに当接又は極近接した状態に向かい合う位置関係に配置されている。【００１８】  図５は、生体組織の切開又は切断等を行うために、上述のように構成された第１の実施の形態の内視鏡用鋏型高周波処置具が内視鏡２０の処置具案内管２１に通された状態を示しており、一対の鋏片６Ａ，６Ｂを開いてその間に処置対象の生体組織を位置させ、鋏片６Ａ，６Ｂを閉じる操作をして生体組織を一対の電極刃１０Ａ，１０Ｂで摘んだ状態にした時に、電気絶縁されている把持部１２Ａ，１２Ｂが生体組織を焼灼することなくその表面に食いついて、生体組織を一対の鋏片６Ａ，６Ｂの間に摘んで保持した状態を維持することができる。その結果、電極刃１０Ａ，１０Ｂへの高周波電流通電により所望の部位の切開や切断の処置を円滑に短時間で行うことができる。【００１９】  図６と図７は、本発明の第２の実施の形態の内視鏡用鋏型高周波処置具の先端付近を示す側面部分断面図とその高周波鋏部分の斜視図であり、一対の鋏片６Ａ，６Ｂの双方の最先端部分に形成された把持部１２Ａ，１２Ｂが、各々電極刃１０Ａ，１０Ｂの高さより閉じ方向に高く突出する突片状に形成されている。その他の構成は第１の実施の形態と同様である。このように構成することにより、生体組織に対する把持部１２Ａ，１２Ｂの食いつき状態が深くなって生体組織をより確実に把持することができる。なお、一対の鋏片６Ａ，６Ｂが閉じた時にその電極刃１０Ａ，１０Ｂどうしが当接又は極近接した状態になるように、この実施の形態では一方の把持部１２Ａの断面形状が凸状に形成されて他方の把持部１２Ｂの断面形状が凹状に形成され、一対の鋏片６Ａ，６Ｂを閉じた時に凸状の断面形状の把持部１２Ａが凹状の断面形状の把持部１２Ｂ内に嵌まり込んだ状態になるようになっている。【００２０】  図８と図９は、本発明の第３の実施の形態の内視鏡用鋏型高周波処置具の先端付近を示す側面部分断面図と高周波鋏部分の斜視図であり、把持部１２Ａ，１２Ｂは前述の第２の実施の形態と同じ形状に形成されている。そしてこの実施の形態では、一対の鋏片６Ａ，６Ｂの双方に形成された把持部１２Ａ，１２Ｂのうちの一方の把持部１２Ａの後面壁に、電極刃１０Ａと電気的に導通する円形の補助電極１３が後方に向かって突出する状態に露出形成されている。このような補助電極１３を設けることにより、一対の電極刃１０Ａ，１０Ｂの間に挟まれて焼灼される生体組織の端部が補助電極１３で焼灼され、高周波切開又は切断等をより確実に出血なく行うことができる。【００２１】  なお、補助電極１３は、図１０に示されるように矩形状その他の形状であってもよく、図１１に示されるように把持部１２Ａの後面の電気絶縁性被膜１１を単純に剥がした状態のものであってもよい。また、図１２に示されるように、補助電極１３と電極刃１０Ａとを一つながりに連続して露出形成してもよい。また、補助電極１３を一対の鋏片６Ａ，６Ｂの双方の把持部１２Ａ，１２Ｂに形成してもよい。また、この実施の形態の内視鏡用鋏型高周波処置具においては、図８に示されるように、把持部１２Ａ，１２Ｂの前面壁Ｓ（図８において左端に図示されている壁面）が突端側を次第に後方に退避させた斜面状に形成されている。その結果、一対の鋏片６Ａ，６Ｂが閉じる動作をする際に、把持部１２Ａ，１２Ｂの前面壁Ｓの突端部の軌跡Ｚが基端側の軌跡Ｙより内側に退避した位置になるので、把持部１２Ａ，１２Ｂが意に反して生体組織に引っ掛かったりせず、安全に高周波切開や切断を行うことができる。【００２２】  図１３と図１４は、本発明の第４の実施の形態の内視鏡用鋏型高周波処置具の高周波鋏部分の斜視図とその最先端部の正面図であり、一対の鋏片６Ａ，６Ｂの双方の最先端部に形成された把持部１２Ａ，１２Ｂが各々、一対の鋏片６Ａ，６Ｂを閉じた時にすれ違って横に並ぶ位置関係に設けられている。図１４に示されるように、各把持部１２Ａ，１２Ｂの幅（厚み）は各々鋏片６Ａ，６Ｂの半幅（厚みの半分）よりごく僅か狭い程度に形成されている。そして、一対の鋏片６Ａ，６Ｂが閉じた状態の時にその電極刃１０Ａ，１０Ｂどうしが当接又は極近接した状態になるように、各鋏片６Ａ，６Ｂの先端部分には他方の把持部１２Ｂ，１２Ａの突端部分が来る位置に窪み（逃げ）１４Ａ，１４Ｂが形成されている。電極刃１０Ａ，１０Ｂ等の構成は第１の実施の形態等と同じである。なお、図１５に示されるように、各把持部１２Ａ，１２Ｂの突端側の幅を窄めた形状に形成すれば、一対の鋏片６Ａ，６Ｂが閉じる動作の際に、把持部１２Ａ，１２Ｂどうしがぶつかり合って閉じなくなるような不具合の発生を防止することができる。【００２３】  図１６は、本発明の第５の実施の形態の内視鏡用鋏型高周波処置具の先端付近を示す平面部分断面図であり、対向して設けられた一対の鋏片６Ａ，６Ｂのうちの一方の鋏片６Ｂが対向面側から図示されている。この実施の形態においては、一対の鋏片６Ａ，６Ｂが、各々鋏片６Ａ，６Ｂの開閉方向に対して垂直な方向に湾曲した形状に形成されている。電極刃１０Ａ，１０Ｂは、各々鋏片６Ａ，６Ｂの幅の中心線位置に形成されて、鋏片６Ａ，６Ｂが閉じた状態で電極刃１０Ａ，１０Ｂどうしが向かい合うようになっている。なお、把持部１２Ａ，１２Ｂについては、他の実施の形態のどの把持部１２Ａ，１２Ｂを採用してもよい。このように構成することにより、図１６に示されるように、鋏片６Ａ，６Ｂで粘膜下の筋層３０を突き破るようなおそれなく（二点鎖線参照）、粘膜下層剥離術等を安全に行うことができる。なお、図１７に示される第６の実施の形態のように、電極刃１０Ａ，１０Ｂを、鋏片６Ａ，６Ｂの湾曲の内側寄りの位置に偏位させて鋏片６Ａ，６Ｂの対向面に配置すれば、電極刃１０Ａ，１０Ｂが筋層３０から離れてより安全性が増す。また、鋏片６Ａ，６Ｂを一箇所又は複数箇所で折れ曲がった形状に形成してもよい。【００２４】  図１８、図１９及び図２０は、本発明の第７の実施の形態の内視鏡用鋏型高周波処置具の先端付近を示す側面部分断面図、高周波鋏部分の斜視図及びその正面図である。この実施の形態においては、一対の鋏片６Ａ，６Ｂの双方の最先端部分に形成された把持部１２Ａ，１２Ｂの一方又は双方の把持部１２Ａ，１２Ｂの後面壁であって他方の把持部１２Ｂ，１２Ａとすれ違う側寄りの領域のみに、電極刃１０Ａ，１０Ｂと電気的に導通する補助電極１３が露出形成されている。電極刃１０Ａ，１０Ｂは第１の実施の形態と同じであり、図２０に示される二つの補助電極１３の幅が電極刃１０Ａ，１０Ｂの幅と同じ（又は同程度）に形成されている。なお、図２０においては、補助電極１３の範囲を明瞭に示すために電気絶縁性被膜１１の図示を省略してある。このように構成することにより、補助電極１３で周囲の生体組織まで焼灼するおそれがなくなり、安全かつ確実な高周波切開や切断等を行うことができる。【００２５】  また、この実施の形態においては、図１８に示されるように、把持部１２Ａ，１２Ｂの前面壁Ｓだけでなく後面壁も突端側を次第に後方に寄せた斜面状に形成されると共に、図２０に示されるように、各把持部１２Ａ，１２Ｂの幅が突端側を窄めた形状に形成されている。その結果、粘膜下層剥離術等を行う際に、繊維状筋等を把持部１２Ａ，１２Ｂに引っ掛けて移動させる操作等を容易に行うことができる。なお、この実施の形態の鋏片６Ａ，６Ｂを前述の第５、６の実施の形態のように湾曲した形状に形成してもよい。【００２６】  図２１、図２２は、本発明の第８の実施の形態の内視鏡用鋏型高周波処置具の先端付近を示す側面部分断面図と平面図であり、一対の鋏片６Ａ，６Ｂの各々に形成された電極刃１０Ａ，１０Ｂが、一対の鋏片６Ａ，６Ｂを閉じた時に前後に位置をずらせて噛み合う位置関係に二個ずつ配置されている。ただし、三個以上ずつであってもよく、図２３に示されるように一個ずつであってもよい。他の構成は前述の第７の実施の形態と同様である。このように、本発明においては、一対の電極刃１０Ａ，１０Ｂどうしが必ずしも対向し合わなくてもよく、図２４に示される第９の実施の形態のように、電極刃１０Ａ，１０Ｂが、一対の鋏片６Ａ，６Ｂを閉じた時にすれ違って横に並ぶ位置関係に配置されていてもよい。【００２７】  なお、本発明は説明した各実施の形態に限定されるものではなく、把持部１２Ａ，１２Ｂ以外の部分において鋏片６Ａ，６Ｂが電極刃１０Ａ，１０Ｂと同様の金属露出面になっていてもよく、電極刃１０Ａ，１０Ｂの幅が前後両端部又はその途中位置で変化していても差し支えない。また、本発明は、一対の電極刃１０Ａ，１０Ｂが高周波電源の正極と負極とに電気的に分離して接続されるいわゆるバイポーラ型の高周波処置具に適用することもできる。
【図面の簡単な説明】
【００２８】
【図１】本発明の第１の実施の形態の内視鏡用鋏型高周波処置具の先端付近の側面部分断面図。
【図２】本発明の第１の実施の形態の内視鏡用鋏型高周波処置具の先端付近の平面部分断面図。
【図３】本発明の第１の実施の形態の内視鏡用鋏型高周波処置具の高周波鋏部分の斜視図。
【図４】本発明の第１の実施の形態の内視鏡用鋏型高周波処置具の図１のＡ−Ａ線において切断された断面の断面図。
【図５】本発明の第１の実施の形態の内視鏡用鋏型高周波処置具の使用状態の側面図。
【図６】本発明の第２の実施の形態の内視鏡用鋏型高周波処置具の先端付近の側面部分断面図。
【図７】本発明の第２の実施の形態の内視鏡用鋏型高周波処置具の高周波鋏部分の斜視図。
【図８】本発明の第３の実施の形態の内視鏡用鋏型高周波処置具の先端付近の側面部分断面図。
【図９】本発明の第３の実施の形態の内視鏡用鋏型高周波処置具の高周波鋏部分の斜視図。
【図１０】本発明の第３の実施の形態の内視鏡用鋏型高周波処置具の高周波鋏部分の第１の変形例の斜視図。
【図１１】本発明の第３の実施の形態の内視鏡用鋏型高周波処置具の高周波鋏部分の第２の変形例の斜視図。
【図１２】本発明の第３の実施の形態の内視鏡用鋏型高周波処置具の高周波鋏部分の第３の変形例の斜視図。
【図１３】本発明の第４の実施の形態の内視鏡用鋏型高周波処置具の高周波鋏部分の斜視図。
【図１４】本発明の第４の実施の形態の内視鏡用鋏型高周波処置具の高周波鋏部分の正面図。
【図１５】本発明の第４の実施の形態の内視鏡用鋏型高周波処置具の高周波鋏部分の変形例の正面図。
【図１６】本発明の第５の実施の形態の内視鏡用鋏型高周波処置具の先端付近の平面部分断面図。
【図１７】本発明の第６の実施の形態の内視鏡用鋏型高周波処置具の先端付近の平面部分断面図。
【図１８】本発明の第７の実施の形態の内視鏡用鋏型高周波処置具の先端付近の側面部分断面図。
【図１９】本発明の第７の実施の形態の内視鏡用鋏型高周波処置具の高周波鋏部分の斜視図。
【図２０】本発明の第７の実施の形態の内視鏡用鋏型高周波処置具の高周波鋏部分の正面図。
【図２１】本発明の第８の実施の形態の内視鏡用鋏型高周波処置具の先端付近の側面部分断面図。
【図２２】本発明の第８の実施の形態の内視鏡用鋏型高周波処置具の先端付近の平面図。
【図２３】本発明の第８の実施の形態の内視鏡用鋏型高周波処置具の先端付近の変形例の側面部分断面図。
【図２４】本発明の第９の実施の形態の内視鏡用鋏型高周波処置具の一対の鋏片が閉じた状態の正面断面図（図４に対応する位置の断面図）。
【符号の説明】
【００２９】１…可撓性シース
２…シース外皮
４…操作ワイヤー
６Ａ，６Ｂ…鋏片
８…支軸
１０Ａ，１０Ｂ…電極刃
１１…電気絶縁性被膜
１２Ａ，１２Ｂ…把持部
１３…補助電極
１４Ａ，１４Ｂ…窪み
【図１】
2008126031.tif 000003
【図２】
2008126031.tif 000004
【図３】
2008126031.tif 000005
【図４】
2008126031.tif 000006
【図５】
2008126031.tif 000007
【図６】
2008126031.tif 000008
【図７】
2008126031.tif 000009
【図８】
2008126031.tif 000010
【図９】
2008126031.tif 000011
【図１０】
2008126031.tif 000012
【図１１】
2008126031.tif 000013
【図１２】
2008126031.tif 000014
【図１３】
2008126031.tif 000015
【図１４】
2008126031.tif 000016
【図１５】
2008126031.tif 000017
【図１６】
2008126031.tif 000018
【図１７】
2008126031.tif 000019
【図１８】
2008126031.tif 000020
【図１９】
2008126031.tif 000021
【図２０】
2008126031.tif 000022
【図２１】
2008126031.tif 000023
【図２２】
2008126031.tif 000024
【図２３】
2008126031.tif 000025
【図２４】
2008126031.tif 000026